【事件の表示】
　特願２００１−３２４２４８「リモコン装置」拒絶査定不服審判事件〔平成１５年　５月　９日出願公開、特開２００３−１３４５７６〕について、次のとおり審決する。
【結　論】
　本件審判の請求は、成り立たない。
【理　由】
１．手続の経緯・本願発明
　本願は、平成１３年１０月２２日の出願であって、平成１５年１１月１２日付けで手続補正書が提出されたが、同年１２月２６日付けで拒絶査定がなされ、これに対し、平成１６年２月１０日に拒絶査定に対する審判請求がなされ、平成１８年９月５日付けで拒絶理由の通知がなされ、これに対し、同年１１月１４日付けで意見書が提出されたものである。
　本願の請求項１に係る発明は、前記平成１５年１１月１２日付けの手続補正により補正された明細書及び図面の記載からみて、その請求項１に記載された事項により特定される次のとおりのもの（以下、「本願発明」という。）と認める。
　
「被制御システムから供給される電力により作動して該被制御システムを遠隔操作するリモコン装置であって、該被制御システムの作動を指示する操作スイッチと、該被制御システムの作動状態を表示する表示手段と、該表示手段に表示駆動信号を出力する表示ドライバＩＣと、前記操作スイッチの操作信号が入力されて該操作信号に応じた所定の処理を行なうと共に、該表示ドライバＩＣに対して前記表示手段に表示する内容を指示する表示制御信号を出力するマイクロコンピュータとを備えたリモコン装置において、
　前記マイクロコンピュータは、前記操作スイッチの一つである、前記被制御システムを運転状態と運転待機状態とに切換えるための運転スイッチの操作信号が入力されたときに、前記表示ドライバＩＣに対して該表示ドライバＩＣを初期化するリセット信号を出力すると共に、前記所定の処理を行なうことを特徴とするリモコン装置。」
　
２．引用発明及び周知技術 
　Ａ．当審の拒絶理由に引用された、本願の出願の日前である平成２年５月３０日に頒布された特開平２−１４０５０９号公報（以下、「引用例１」という。）には、「燃焼器具の制御装置」の発明に関し、図面とともに以下の事項が記載されている。  
　ａ）「熱交換器、バーナ、電磁弁、感温素子、燃焼検出器等を有し、これらを制御するマイクロコンピュータ、マイクロコンピュータの周辺回路、これらの付属回路等からなる制御回路を備えた燃焼器具の本体と、この本体の温度制御を司どる設定手段、本体の燃焼状態を表示する表示灯、マイクロコンピュータ、マイクロコンピュータの周辺回路、各種表示灯、各種操作スイッチ等を備えた遠隔制御装置と、この本体と遠隔制御装置の間を接続する接続電線とを備え、接続電線は２本であって、２本の電線には、電力である電圧に多重化した制御信号を重ねる方式で、かつ、双方向の制御信号方式において、遠隔制御装置の運転スイッチにより、接続電線に流れる電流を検出することにより、本体の制御装置内のマイクロコンピュータ、マイクロコンピュータの周辺回路の電源電圧を印加する手段を有するとともに、上記の運転スイッチにより遠隔制御装置のマイクロコンピュータ、マイクロコンピュータの周辺回路及び表示灯等の電圧を印加することを特長とする燃焼器具の制御装置。」（１頁左下欄〜右下欄、２．特許請求の範囲（１））、 
　ｂ）「産業上の利用分野 
 　本発明は、ガス、石油等を燃料とする燃焼装置を有する本体と有線で結ばれ、燃焼装置を遠隔制御するリモートコントローラ（以下リモコンと呼ぶ）により本体の制御を行う燃焼器具に関する。」（２頁左上欄８〜１２行目）、 
　ｃ）「次に、第３図により、リモコン側より本体側制御電源の制御方法の動作を説明する。なお３５は本体側の感温素子、電磁弁等のセンサ・アクチェタ群を示す。３６はリモコン側の種々の表示灯、温度制御するための各種の装置を示す。 
 今、リモコン２９の運転スイッチ３４を「切」の状態になっていると、電力用接続電線２８の両端、例えば３０ａ、３０ｂの両端には電圧は印加されている。 
 　・・・（中略）・・・ 
 　運転スイッチ３４を「入」の状態にすると、リモコン２９内にある種々の回路に電圧が印加され、リモコン側は運転可能な状態になる。・・・（中略）・・・すると、電力用接続電線２８には、電圧に制御信号がいつでも重ねられる状態になる。リモコン２９側は、いつでも運転可能な状態になっているので、例えば、リモコン側の風呂運転スイッチ３４ｂを「入」にすると、リモコン側マイクロコンピュータ周辺回路３２を通し、リモコン側マイクロコンピュータ３１に信号が入り、変調回路３２ｂを通じ制御信号を電力用接続電線２８に重ねる。本体側は電力用接続電線２８に重ねられた制御信号は、本体側復調回路２５ｃを通ると、リモコン２９の風呂運転スイッチ３４ｂが「入」になったと解読し、本体側マイクロコンピュータ２４にリモコン側風呂運転スイッチ「入」の信号を送る。 
 本体側マイクロコンピュータ２４は、本体側マイクロコンピュータ周辺回路２５に風呂を運転するよう信号を出す。すると、本体側マイクロコンピュータ周辺回路２５は、本体側のセンサ・アクチェタ群３５風呂のバーナーに着火させる。 
 　風呂バーナー１３に着火させると、着火信号が本体側のセンサ・アクチェタ群３５より発生する。 
 　本体側マイクロコンピュータ周辺回路２５に着火信号が入力される。すると本体側マイクロコンピュータ２４に風呂バーナー１３に着火された信号が届く。本体側マイクロコンピュータ２４に信号が入り、本体側変調回路２５ｂを通して電力用接続電線２８に制御信号が重ねられる。 
 　リモコン２９ではリモコン側復調回路３２ｃで制御信号を解読し、リモコン側マイクロコンピュータ３１に解読された信号が入力され、リモコン側マイクロコンピュータ３１の出力信号は、リモコン側マイクロコンピュータの周辺回路３２を通し、風呂燃焼確認ランプ３３ｄが点灯する。このようにして、制御が出来るのである。」（３頁右下欄３行目〜４頁左下欄１０行目）。 
 　 　　　　　　 
　ここで、引用例１の「風呂運転スイッチ３４ｂ」は、本体の作動を指示できることが明らかであるから、「本体の作動を指示する操作スイッチ」に他ならない。また、上記「ａ）」の項の「各種操作スイッチ等を備えた遠隔制御装置」旨の記載からみて、前記「風呂運転スイッチ３４ｂ」は、操作スイッチの一つであることが示唆される。
　そして、上記「ｃ）」の項の記載によれば、「運転スイッチ３４」を「入」の状態にすると、引用例１のリモコンはいつでも運転可能な状態になるが、これは運転待機状態ということができる。更に、この状態で、リモコン側の「風呂運転スイッチ３４ｂ」を「入」にすると、風呂を運転するようになると記載されているのだから、この状態は運転状態ということができる。
　また、引用例１の「風呂燃焼確認ランプ３３ｄ」を含む表示灯３３ａ〜３３ｄは、「本体の作動状態を表示する表示手段」であるということができる。 
　そして、引用例１の周辺回路３２は、前記表示灯３３ａ〜３３ｄを駆動するのだから、これが表示ドライバ（ドライバは、駆動手段を意味することがよく知られている。）を含むことは自明である。 
　すると、上記引用例１の記載、及び図面、ならびにこの分野における技術常識を考慮すれば、引用例１には、以下の発明（以下、「引用発明」という。）が開示されているものと認められる。 
「本体から供給される電力により作動して本体を遠隔操作するリモコンであって、 
　該本体の作動を指示する操作スイッチと、 
　該本体の作動状態を表示する表示手段と、 
　該表示手段に表示駆動信号を出力する表示ドライバと、 
　前記操作スイッチの操作信号が入力されて該操作信号に応じた所定の処理を行なうと共に、該表示ドライバに対して前記表示手段に表示する内容を指示する表示制御信号を出力するマイクロコンピュータとを備えたリモコンにおいて、 
　前記マイクロコンピュータは、前記操作スイッチの一つである、前記本体を運転状態と運転待機状態とに切換えるための風呂運転スイッチの操作信号が入力されたときに、前記所定の処理を行なうリモコン。」 
 　　　　　　 
　Ｂ．また、当審の拒絶理由に引用され、本願の出願の日前である平成１１年１０月２９日に頒布された特開平１１−２９６１３４号公報（以下、「引用例２」という。）には、「表示装置の表示制御方法及び表示制御装置」の発明に関し、図面とともに以下の事項が記載されている。  
　ａ）「【０００１】 
 【発明の属する技術分野】本発明は表示装置の表示制御方法及び表示制御装置に関する。」（２頁１欄）、 
　ｂ）「【００１９】〔発明の実施の形態の具体例〕以下に、図３を参照して、本発明の実施の形態の具体例の表示制御装置を詳細に説明する。この具体例の表示制御装置は、電子音響効果装置、ラジオ受信機付きカセットテープレコーダ、ラジオ受信機及びＣＤプレーヤ付きカセットテープレコーダ、テレビ受像機、磁気テープ録画再生装置、テレビ受像機付き磁気テープ録画再生装置等の各種電子機器に組み込まれる。 
【００２０】図３において、１は表示装置（表示モジュール）で、表示素子（例えば、液晶表示素子）２及びこの表示素子２を駆動する表示素子駆動回路（ＩＣから構成される）３から構成されている。１２はその他の機能回路である。 
【００２１】７は電源回路で、商用交流電圧を整流して得た直流電源電圧、又は、電池からの直流電源電圧を基にして、それぞれ所定の電圧の直流電圧を得て、各部に供給する。１０は制御装置（ＣＰＵを備えている）で、表示装置１を初期化し、表示制御を行い、及びその他の機能回路（表示制御装置を電子機器に設けた場合のその電子機器固有の機能回路）１２を制御する。１１は異常監視装置で、電源回路７、表示装置１及びその他の機能回路１２を監視しており、電源回路７からの電源電圧が瞬時に得られなくなったり、電源回路７や表示装置１やその他の機能回路１２が静電気引火したりする異常が検出されると、その異常を制御装置１０に伝達する。」（３頁４欄〜４頁５欄）、 
ｃ）「【００３２】次に、図３と共に、図１のフローチャートを参照して、表示動作中の制御装置１０による制御を説明する。ステップＳＴ−１では、表示動作中に、異常が発生した場合と、異常が発生しなかった場合とに分けられる。そして、表示動作中に、異常が発生した場合には、ステップＳＴ−２に移行して、異常監視装置１１が異常を検出すると、異常監視装置１１は制御装置１０に異常を伝達する、即ち、異常信号を伝送する。 
【００３３】ステップＳＴ−２の次にはステップＳＴ−３に移行して、制御装置１０が、制御装置自体の初期化が必要か否かを判断し、ＹＥＳのときはステップＳＴ−４に移行して制御装置自体を再初期化する。ステップＳＴ−３の判断でＮＯのとき及びステップＳＴ−４の次は、ステップＳＴ−５に移行する。 
【００３４】ステップＳＴ−５では、制御装置１０が非表示切換え信号をスイッチ９に供給して、スイッチ９をＯＦＦにする。ステップＳＴ−５の次はステップＳＴ−６に移行して、制御装置１０が表示素子駆動回路３及びその他の機能回路１２の各初期化信号入力端子にそれぞれ初期化信号を供給して再初期化する。ステップＳＴ−６の次はステップＳＴ−７に移行する。」（４頁６欄〜５頁７欄）。 
 　　　　　 
　上記引用例２の記載及び技術常識によれば、上記引用例２には、各種電子機器の表示装置において、表示ドライバを「表示ドライバＩＣ」で構成する技術、及び、電源投入時やその後に表示装置に異常が検出されたときに、該「表示ドライバＩＣを初期化する」技術が開示される。 
　
　Ｃ．周知例として例示するが、当審の拒絶理由に引用され、本願の出願の日前である平成８年１月１９日に頒布された特開平８−１９０５６号公報（以下、「周知例１」という。）には、「制御機器」の発明に関し、図面とともに下記ａ）、ｂ）の事項が、同じく、当審の拒絶理由に引用され、本願の出願の日前である平成１１年２月２６日に頒布された特開平１１−５１４８６号公報（以下、「周知例２」という。）には、「温風暖房機」の発明に関し、図面とともに下記ｃ）の事項が記載されている。 
　ａ）「【０００１】【産業上の利用分野】本発明は、ガス燃焼式の給湯装置やその他の各種装置・・・（中略）・・・に関する。」（周知例１、２頁２欄）、  
　ｂ）「【００２６】この給湯器本体ＡのコントローラＨへ制御指令を与えるのが、有線または無線により通信可能に構成されたリモコンＲで、このリモコンＲには、給湯の開始および停止を指示するとともに、リセット手段として機能する運転スイッチ２２、運転ランプ２３、給湯温度を設定する温度設定スイッチ２４、設定した給湯温度などの必要な情報を表示する表示手段としての表示部２５、通常運転モードとメンテナンスモードとを切り換えてコントローラＨに指示するメンテナンスモード指示手段としてのモード切り換えスイッチ２６などが設けられている。」（周知例１、５頁７欄）、 
　ｃ）「【００４３】以上のような不着火表示に関するエラーコードを表示したのちに、リセットスイッチ５２が押されると、これに応じて、先程表示したエラーコードを記憶し、エラーコード表示をリセットし、処理を終了する（ステップＳ９、Ｓ１０）。なお、このリセットスイッチ５２には運転開始・停止用のスイッチとリセットスイッチを兼用したものを用いてもよい。」（周知例２、６頁９欄）。 
 　　　　　　　　 
　周知例として例示した上記周知例１、２の記載及び技術常識によれば、家電機器において「運転スイッチに、リセット機能を兼ねさせる」ことは周知である。
　 　　　　　  　　　　　　　　 
３．対比 
　そこで、本願発明と引用発明を対比する。
　イ）引用発明の「本体」、「リモコン」は、それぞれ本願発明の「被制御システム」、「リモコン装置」に相当する。
　ロ）引用発明の「運転状態と運転待機状態とに切換えるための風呂運転スイッチ」と本願発明の「運転状態と運転待機状態とに切換えるための運転スイッチ」は、「運転状態と運転待機状態とに切換えるための運転スイッチ」という点で一致する。
　したがって、本願発明と引用発明は、次の点で一致し、相違する。 
 　　　　　　　 
（一致点）  
　被制御システムから供給される電力により作動して該被制御システムを遠隔操作するリモコン装置であって、
　該被制御システムの作動を指示する操作スイッチと、
　該被制御システムの作動状態を表示する表示手段と、
　該表示手段に表示駆動信号を出力する表示ドライバと、
　前記操作スイッチの操作信号が入力されて該操作信号に応じた所定の処理を行なうと共に、該表示ドライバに対して前記表示手段に表示する内容を指示する表示制御信号を出力するマイクロコンピュータとを備えたリモコン装置において、 
　前記マイクロコンピュータは、前記操作スイッチの一つである、前記被制御システムを運転状態と運転待機状態とに切換えるための運転スイッチの操作信号が入力されたときに、前記所定の処理を行なうリモコン装置。　 
 　　　　 
（相違点１） 
　本願発明では、表示ドライバが「表示ドライバＩＣ」で構成されるとともに、「該表示ドライバＩＣを初期化する」のに対して、引用発明は表示ドライバを備えるものの、これがＩＣで構成されるかどうか、また、初期化されるかどうか不明な点。 　 
　
（相違点２） 
　運転スイッチの操作信号が入力されたときに、本願発明では、「前記表示ドライバＩＣに対して該表示ドライバＩＣを初期化するリセット信号を出力すると共に、前記所定の処理を行なう」のに対して、引用発明では「前記所定の処理を行う」ものの、その余の構成については不明である点。 
 　　　　 
４．当審の判断 
　そこで、上記相違点１、２について検討する。
　　　　　　 
　前記「２．引用発明及び周知技術」の「Ｂ．」の項で述べたように、引用例２に、各種電子機器の表示装置において、表示ドライバを「表示ドライバＩＣ」で構成する技術、及び、電源投入時やその後に表示装置に異常が検出されたときに、該「表示ドライバＩＣを初期化する」技術が開示される。
　よって、この引用例２には、前記相違点１に係る本願発明の「表示ドライバＩＣ」、及び「表示ドライバＩＣを初期化する」という構成が開示されている。
　そして、前記「２．引用発明及び周知技術」の「Ｃ．」の項で述べたように、家電機器において「運転スイッチに、リセット機能を兼ねさせる」ことは周知であるところ、「初期化」は「リセット」の具体的手段の一つであることが技術常識であるとともに、引用例２の技術を引用発明１に適用することに特段の阻害要因は見あたらないから、当該周知技術に照らして、引用発明１の運転スイッチ（風呂運転スイッチ）にリセット機能を兼ねさせる際、「リセット」の具体的手段として、引用例２に開示された「表示ドライバＩＣを初期化する」技術を引用発明１に適用して、本願発明のように「運転スイッチの操作信号が入力されたときに、前記表示ドライバＩＣに対して該表示ドライバＩＣを初期化するリセット信号を出力すると共に、前記所定の処理を行なう」よう構成することは当業者が容易になし得ることである。
 　　　　　　　　　　　　　 
　加えて、本願発明の作用効果も、引用例１、２に記載された発明、技術、及び周知技術から当業者が予測できる範囲内のものである。
　　　
５．むすび
　以上のとおり、本願発明は、引用例１、２に記載された発明、技術、及び周知技術に基いて、当業者が容易に発明をすることができたものであるから、特許法第２９条第２項の規定により特許を受けることができない。
　
　よって、結論のとおり審決する。